(57)【特許請求の範囲】
【請求項１】
商品の出し入れ用の開口を有する箱体と、この箱体に適宜のヒンジを介し上記開口を開閉するように設けた蓋体とからなるケースにおいて、上記箱体と蓋体との周縁内と外とで重なり合う或いは対向する周壁の所要位置に合致する貫孔を設けると共に、上記ケース内に合致した上記貫孔から抜き差し自在に挿入する上記ケースの開放阻止キー部材のガイド手段を設け、上記ケースと挿入したキー部材とに前記キー部材の挿入にともない押し戻され、かつ挿入終了にともない係合関係になる係止手段を設け、上記キー部材に固有のＩＤコードをもち、ショップの出入口を通過の際上記のＩＤコードの共振回路が共振して固有のＩＤコードの発信にともない高周波電磁界を変調させるような盗難防止タグを設けたことを特徴とする盗難防止装置。
【請求項２】
前記キー部材の末端に、上記キー部材の挿入終了にともないケースの外側に嵌合して上記ケースの無理矢理な開放を阻止する嵌合部材を設けたことを特徴とする請求項１に記載の盗難防止装置。
【発明の詳細な説明】
【０００１】
【発明の属する技術分野】
この発明は、ケースに収納してある例えばＣＤカセットの音楽や映像を記録してあるディスクやビデオテープ、ゲームソフトの貸し出し商品や販売商品の抜き取りを防止し、またケース毎店外の持ち出しを防止すると共に、ケースに無理矢理開放方向の力を加えても開放が防止でき、かつ陳列ケースが貸し出しや販売ケースにもなるようにした盗難防止装置に関する。
【０００２】
【従来の技術及びその課題】
従来、レンタルショップでの盗難防止手段としては、既知のように、ショップの棚にレンタル商品の収納ケースを並べておくと、ケースに開放防止の手段がないためケースからレンタル商品が抜き取られて盗難に遇う。
【０００３】
そこで、ショップの棚に空のケースを並べて陳列しておき、顧客が陳列してある所望のレンタル商品名の空のケースを取り出してカウンタに持参すると、カウンタ内の店員によって空のケースの表示レンタル商品を保管場所から取り出し、かつ所定のレンタル手段をして貸し出す。
【０００４】
このような手段を採用すると、顧客が直接レンタル商品に手をふれることがないので、レンタル商品の盗難を防止することができる。
【０００５】
しかしながら、店員による保管場所からのレンタル商品の選出や整然とした保管などによって著しく手数がかかり、かつスムーズな貸し出しが困難になると共に、広い保管場所を必要とするなどの問題があった。
【０００６】
一方、ショップの棚にレンタル商品の収納ケースを陳列し、顧客が陳列してある所望のレンタル商品をケースから取り出してカウンタに持参し、レンタル手続きをすることにより前述のような問題を解決することができる。
【０００７】
しかしながら、顧客が直接レンタル商品を手にするので、店外にレンタル商品が持ち出され、盗難に遇う。
【０００８】
そこで、盗難を防止するため、レンタル商品の任意の位置に固有のＩＤコード（電源のない）をもつ盗難防止タグが取り付けられ、ショップの出入口には、所定の高周波電磁界を発生させておき、レンタル商品が出入口を通過する際に前記ＩＤコードの共振回路が共振して固有のＩＤコードを発信し、高周波電磁界が変調することによりそれを検出してレンタル商品の通過を検出し、それが貸し出されたものであるか、又無断で持ち出されたものであるかを店員が監視するようにしている。
【０００９】
しかしながら、カウンタでのレンタル手続きの際に上記のＩＤコード（タグ）を何らかの方法でシールドしなければ、所定の手続きをして貸し出されたレンタル商品であっても無断で持ち出されたものと同様に検出される不都合があった。
【００１０】
このため、シールドの手続きにわずらわしい作業が必要になると共に、シールド用備品によりコストが大幅にアップする問題があった。
【００１１】
特に、ケース（例えば箱体と、この箱体の開口を開閉する蓋体とからなる）に収納した品物は、開放が可能なため品物の取り出しが容易になって、盗難が頻繁に発生する。
【００１２】
また、開放阻止キー部材を用いたケースにあっても、ケースに無理矢理開放方向の力を加えると、キー部材に掛合関係にある部位が破損され、或いは外れて開放するおそれもあった。
【００１３】
そこで、この発明の課題は、商品の取り出しをなくするようにケースの開放を阻止すると共に、店外への持ち出しを防止するタグをショップ側に残してシールドが不用になるようにし、またケースに無理矢理開放方向の力を加えても開放するおそれがないようにし、かつ陳列ケースが貸し出しや販売ケースにもなるようにしたことにある。
【００１４】
【課題を解決するための手段】
上記の課題を解決するために、この発明は、商品の出し入れ用の開口を有する箱体と、この箱体に適宜のヒンジを介し上記開口を開閉するように設けた蓋体とからなるケースにおいて、上記箱体と蓋体との周縁内と外とで重なり合う或いは対向する周壁の所要位置に合致する貫孔を設けると共に、上記ケース内に合致した上記貫孔から抜き差し自在に挿入する上記ケースの開放阻止キー部材のガイド手段を設け、上記ケースと挿入したキー部材とに前記キー部材の挿入にともない押し戻され、かつ挿入終了にともない係合関係になる係止手段を設け、上記キー部材に固有のＩＤコードをもち、ショップの出入口を通過の際上記のＩＤコードの共振回路が共振して固有のＩＤコードの発信にともない高周波電磁界を変調させるような盗難防止タグを設けた構成を採用する。
【００１５】
また、前記キー部材の末端に、上記キー部材の挿入終了にともないケースの外側に嵌合して上記ケースの無理矢理な開放を阻止する嵌合部材を設けた構成を採用する。
【００１６】
【発明の実施の形態】
この発明の実施形態を添付図面に基づいて説明する。
【００１７】
この発明の第１の実施形態に使用するケースＡは、図１から図３に示すように、商品ａの出し入れ用の開口１を有する箱体２と、この箱体２に適宜のヒンジ３を介し開口１を開閉するように設けた蓋体４とで構成され、箱体２と蓋体４との各主壁５の周縁には、内と外とで重なり合う或いは対向する周壁６、６が設けてある。
【００１８】
上記のヒンジ３は、図示の場合箱体２の下辺側周壁６にハーフカットのヒンジ３を介し蓋体４の主壁５を設けて形成（図示の場合箱体２の周壁６の下辺側両端を周壁６の両側辺下端に対し切り離すと共に、周壁６の下辺と箱体２側の主壁５との境にハーフカットのヒンジ３を設けて、箱体２と蓋体４とがフラットに展開するようにしてある）したが、かならずしも限定されず、例えば別部品の蝶番や穴と突軸との嵌合方式のピンヒンジなどで開閉することもある。
【００１９】
また、箱体２及び蓋体４の両周壁６、６の所定位置には、合致する貫孔７、７が設けてあり、この合致した貫孔７、７には、抜き差し自在にキー部材８が挿入されて、挿入したキー部材８により箱体２に対する蓋体４の開放が阻止されるようになっている。
【００２０】
すると、ケースＡ内の商品ａ（商品は、図示のディスクに限定されず、その他の各種品物であってもよい）の取り出しを防止する。
【００２１】
上記のキー部材８は、図示の板状体に限定されず角軸や丸軸などであってもよい。
【００２２】
当然、貫孔７も図示の場合板状のキー部材８を使用する関係上板の周囲形状に合致する長孔を設けたが、キー部材８の周囲形状に合致する形状にすればよい。
【００２３】
勿論、貫孔７の形状も図４に示すようにキー部材８の両側縁部が係合する形状であってもよい。
【００２４】
要するに、合致した貫孔７、７にキー部材８を挿入することにより箱体２に対する蓋体４の開放を阻止することにある。
【００２５】
上記貫孔７、７の位置は、図示のヒンジ３に対向する（図示周壁６、６の）上辺側中央部分に設けたが、寸法などに応じて上辺側両端部や、周壁６、６の両側辺などに設けてもよい。
【００２６】
上記貫孔７、７を有する重なり合う或いは対向する、内と外との周壁６、６以外に、図５に示すように、周壁６に対向（並列するように）主壁５から突出壁９を（両主壁５からも可）設けて、この突出壁９に周壁６、６の貫孔７に合致する貫孔７を設けて、周壁６及び突出壁９の両貫孔７にキー部材８を挿入することもできる。
【００２７】
なお、図６に示すように両主壁５、５の辺縁から連なって貫孔７を有する周壁６の外側に７字状の屈曲壁１０、１０を設けて、この屈曲壁１０、１０間から貫孔７にキー部材８を挿入するようにしておくと、挿入したキー部材の端末を隠蔽することができる。
【００２８】
また、ケースＡ内には、挿入するキー部材８のガイド手段１１が設けてある。
【００２９】
すると、貫孔７から挿入するキー部材８の挿入をスムーズに行うことができる。
【００３０】
上記のガイド手段１１は、図示の場合箱体２側の主壁５の内面にキー部材８の両側縁をガイドするレール条１２と、このレール条１２から主壁５に対しキー部材８の厚みより若干大きな間隔を存して突出すると共に、キー部材８の側縁部板面に臨む抜け出し防止条１３とで構成したが、蓋体４側の主壁５に設けることも可能で、形状もＬ形（レール条１２と抜け出し防止条１３とによる）に限定されず、その他の形状、例えば筒状体などであってもよい。
【００３１】
その際、レール条１２の終端にキー部材８の挿入先行端縁の両側が当接するストッパ１４を設けて、挿入キー部材８の末端縁と外側周壁６の表面とが面一になるようになっている。
【００３２】
上記のストッパ１４は、レール条１２に設ける以外に例えば主壁５の内面に突起を設けたり、或いは図７に示すようにキー部材８の末端に鍔１５を設けて、この鍔１５を外側周壁６の表面凹入部１６に嵌め込んで（隠蔽のため鍔１５の表面と周壁６の表面とが面一になるよう）ストッパにすることもある。
【００３３】
すると、ガイド手段１１によりキー部材８の挿入路が確立され、ケースＡに収納した商品ａが未包装であっても商品ａとキー部材８とが無接触になる。
【００３４】
その結果、未包装の商品ａとキー部材８との接触により商品ａを傷付けるような損傷が皆無になる。
【００３５】
例えば、商品が未包装のディスクであっても記録面や印刷面を損傷することがないと共に、商品の未包装によってコストの低減をはかることができ、またケースＡに歌詞カードなどの付属物が収納してあっても、挿入キー部材８による付属物の破損などもない。
【００３６】
また、上記ケースＡに挿入したキー部材８とケースＡ側とには、キー部材８の挿入にともない押し戻され、キー部材８の挿入終了にともない係合関係になる係止手段３１が設けてあり、この係止手段３１は、ケースＡに差し込む解除具３２によって係合関係が解除されるようになっている。
【００３７】
上記の係止手段３１は、例えば図８及び図９に示すようにキー部材８の側縁に外側縁がキー部材８の末端方向に突出度合いが徐々に大きくなるよう設けた係合爪３３と、ガイド手段１１のレール条１２の途中に係合爪３３が嵌入係止してキー部材８の引き抜きを阻止する係合孔３４とで構成し、キー部材８の挿入にともないレール条に係合爪３３が接触すると係合爪３３が押し戻され、キー部材８の挿入終了にともない係合爪３３と係合孔３４とが合致するので、レール条１２と係合爪３３とが無接触になる。
【００３８】
その結果、押し戻しの解除された係合爪３３が図９に示すように係合孔３４に嵌り込んで係合関係になり、キー部材８の引き抜きを阻止する。
【００３９】
上記係合爪３３及び係合孔３４は、キー部材８とガイド手段１１とに設ける以外に、例えば、図１２及び図１３に示すように、キー部材８とケースＡとの対向面（図示の場合箱体２の主壁５内面に設けたが、蓋体４の主壁５内面に設けることも可）に係止手段３１を設けることもできる。
【００４０】
その際、係止手段３１を構成する係合爪３３と係合孔３４との係合孔３４にかえて、図示のようにケースＡの内面、例えば図示のように箱体２及び蓋体４の少なくとも片方主壁５の内面から突出する突出条や突起などの突出部５１を設け、キー部材８の挿入途中に突出部５１に係合爪３３が接触し、接触にともない係合爪３３を押し戻し、係合爪３３が突出部５１を通過し終ると押し戻しの解除された係合爪３３が復帰すると共に、復帰した係合爪３３の先が突出部５１に引っかかってキー部材８の引き抜きを阻止するようになっている。
【００４１】
なお、突出部５１が図示のように突出条にしてある場合、図１２や図１６に示すようにキー部材８の貫通部５２を切欠き貫孔などにより設けておく。
【００４２】
上記の係合爪３３は、図示の場合キー部材８の板面にコ字状のスリット５３を入れて、このスリット５３の内側を押し出して設けたが、例えば別部品の係合爪をキー部材に固着（取付け）したり、キー部材８と一体的に（合成樹脂の成形板などにより）設けることも考えられる。
【００４３】
要するに、キー部材８の挿入終了時点に自動的にキー部材８とケースＡとが係合関係になってキー部材８の引き抜きを阻止できればよい。
【００４４】
上記の解除具３２は、図９及び図１０の場合、挿入口としての貫孔７から係合爪３３に向けて挿入すると共に、板状の解除具３２の先端から突出する先細り突片３５が係合爪３３からキー部材８の末端方向に突出する突出片３６の外側縁とレール条１２との間に嵌入すると共に嵌入の続行によって係合孔３４から係合爪３３を脱出させるように（図１０に示すように）押し逃がすと共に係合関係を解除する。
【００４５】
すると、解除具３２の引き抜きにともない押し逃がした係合爪３３の復元力による突出片３６の突片３５への圧接による摩擦抵抗により解除具３２と共にキー部材８を引き抜くことができる。
【００４６】
なお、摩擦抵抗の部分にスリップがかりに起生する場合は、キー部材８と解除具３２とに、突起２２と孔２３との組み合わせ掛合部２１を設けておくとよい。
【００４７】
また、図１２及び図１３に示すように対向面に係止手段３１が設けてある場合、図１４及び図１５に示すように、係合爪３３の突出方向端中央から内方に向く切欠き部５４を設けて、この切欠き部５４に貫孔７の縁の挿入口用の切欠き２０から差し込んだ解除具３２の突片３５を嵌入し、嵌入の続行にともない係合爪３３を押し戻して係合爪３３と突出部５１との係合関係を解除（図１５に示すように）する。
【００４８】
勿論、キー部材８と解除具３２との対向面に設けてある掛合部２１の突起２２と孔２３との嵌り込みによる掛合によって解除具３２とキー部材８とを共に引き抜く。
【００４９】
上記のように、解除具３２と共に引き抜いたキー部材８は、ショップ側に残し、商品ａの入ったケースＡは、貸し出しケースや販売ケースとして使用でき、陳列時などにあっては、ケースＡに挿入してあるキー部材８によりケースＡの開放を阻止し、かつ係止手段３１によりキー部材８の抜き取りを防止する。
【００５０】
図中３９は解除具３２に設けた突起２２の押し逃がし用貫窓である。
【００５１】
なお、図１及び図２に示すように、ケースＡに収納した未包装の商品ａ、例えばセンター支持部材４０によって仮支持したディスクの周縁に対し挿入したキー部材８の挿入先行端を離れた位置でストップさせて、キー部材８とディスクの板面とを無接触にすると、ディスク（印刷面や記録面）を傷付けることがない。
すると、ガイド手段１１が不要になる。
【００５２】
さらに、上述のキー部材８には、貼り付けや埋め込みなどによって盗難防止タグ２４が設けてある。
【００５３】
上記のタグ２４は、公知の固有のＩＤコード（電源のない）をもつもので、タグ２４の付いた（挿入キー部材８付の）ケースＡが出入口（店側）を通過する際に前記のＩＤコードの共振回路が共振して固有のＩＤコードを発信し、高周波電磁界が変調することによりそれを検出してケースＡの通過を検出する。
【００５４】
それが、無断で持ち出されたものであるかを店員が監視して盗難を防止する。  なお、販売に際しては、タグ２４付のキー部材８を引き抜いて店側に残す。
【００５５】
勿論、キー部材８を店側に残し未包装商品ａの収納状態のケースＡは、販売ケースや貸出しケースになる。
【００５６】
当然販売や貸出し以前にあっては、キー部材８によるケースＡの開放阻止や、タグ２４によって未包装の商品ａの万引や盗難を有効に防止する。
【００５７】
この発明の第２の実施形態では、図１７から図２０に示すように、第１実施形態のキー部材８の末端には、キー部材８の挿入終了にともないケースＡの辺の外側に嵌合してケースＡの無理矢理な開放を阻止する嵌合部材６１が設けてある。
【００５８】
上記の嵌合部材６１は、ケースＡの辺縁（周壁６及び両主壁５）の外側に被さる溝形に形成され、図示の場合一つの辺縁の全長に嵌合する直線形状以外に貫孔７を有する辺縁のコーナーを挟む二辺のＬ形状やコーナーを挟む三辺のコ形状或いはキー部材８から相反する方向に突出する二個の嵌合部材６１であってもよい。
【００５９】
要するに、キー部材８の挿入終了にともないケースＡの辺縁外側に嵌合部材６１が嵌合して箱体２及び蓋体４に開放方向の無理な力を加えても、嵌合部材６１により開放を阻止するようする。
勿論、キー部材８の貫通掛合部分の破損なども防止する。
【００６０】
なお、挿入したキー部材８の係止手段３１や、解除具３２による係止手段３１の係合関係の解除及び解除具３２とキー部材８との一体的な引き抜き、タグ２４、ガイド手段１１などの構成や作用は、第１の実施形態と同様につき説明を省略する。
【００６１】
図中６２は、嵌合部材６１に設けた解除具３２の挿入口である。
【００６２】
【発明の効果】
以上のように、この発明の盗難防止装置によれば、箱体と蓋体との合致した貫孔にキー部材を挿入してケースの開放を阻止すると共に、係止手段の係合関係によって顧客によるキー部材の抜き取りを防止するので、ケースに収納してある商品の盗難をなくすることができ、係止手段の係合関係を解除してショップ側にキー部材を回収したケースは、陳列ケースから貸し出しや販売ケースに転用できる特有な効果がある。
【００６３】
また、ケース内にガイド手段を設けてあるので、キー部材の正確な一定線上の挿入を保障することができると共に、ケース内の収納物の商品とキー部材との接触を回避して収納物の損傷や破損などをなくすることもできる。
【００６４】
さらにキー部材に盗難防止タグを設けてあるので、ケース毎商品を持ち出そうとしても検出されて盗難を防止すると共に、キー部材のショップ側への回収によって転用した貸し出しや販売ケースの手間のかかるシールド作業が不要になる。
【００６５】
また、キー部材と一体の嵌合部材によってケースに無理失理開放方向の力を加えても開放を阻止すると共に、キー部材の貫通部分やスライダとの係合部材の破損をなくすることもできる。
【図面の簡単な説明】
【図１】この発明の第１の実施形態のケースとキー部材を示す斜視図
【図２】ケースにキー部材を挿入した状態の一部切欠正面図
【図３】同上の縦断側面図
【図４】貫孔の例を示す平面図
【図５】貫孔の例を示す縦断側面図
【図６】貫孔の他の例を示す縦断側面図
【図７】キー部材のストッパを示す縦断側面図
【図８】係止手段付キー部材を示す斜視図
【図９】ケースにキー部材を挿入した状態の一部切欠正面図
【図１０】解除具の使用状態を示す一部切欠正面図
【図１１】係止手段付キー部材の斜視図
【図１２】係止手段の他の例を示す一部切欠正面図
【図１３】同上の縦断側面図
【図１４】同上に解除具を挿入した一部切欠正面図
【図１５】同上の縦断側面図
【図１６】キー部材を挿入した一部切欠正面図
【図１７】第２の実施形態を示す斜視図
【図１８】キー部材を挿入した一部切欠正面図
【図１９】同上の縦断側面図
【図２０】同上に解除具を挿入した縦断側面図
【符号の説明】
Ａ      ケース
ａ      商品
１      開口
２      箱体
３      ヒンジ
４      蓋体
５      主壁
６      周壁
７      貫孔
８      キー部材
９      突出壁
１０    屈曲壁
１１    ガイド手段
１２    レール条
１４    ストッパ
１５    鍔
２４    タグ
３１    係止手段
３２    解除具
３３    係合爪
３４    係合孔
３５    突片
３６    突出片
５１    突出部
５２    貫通部
５３    スリット
５４    切欠き部
６１    嵌合部材
６２    挿入口
【図１】
0003565162.tif 000002
【図２】
0003565162.tif 000003
【図３】
0003565162.tif 000004
【図４】
0003565162.tif 000005
【図５】
0003565162.tif 000006
【図６】
0003565162.tif 000007
【図７】
0003565162.tif 000008
【図８】
0003565162.tif 000009
【図９】
0003565162.tif 000010
【図１０】
0003565162.tif 000011
【図１１】
0003565162.tif 000012
【図１２】
0003565162.tif 000013
【図１３】
0003565162.tif 000014
【図１４】
0003565162.tif 000015
【図１５】
0003565162.tif 000016
【図１６】
0003565162.tif 000017
【図１７】
0003565162.tif 000018
【図１８】
0003565162.tif 000019
【図１９】
0003565162.tif 000020
【図２０】
0003565162.tif 000021